(57)【要約】【課題】外壁パネルが建物の構造躯体の屋外側に位置するとともに、上記外壁パネルと柱との組付性に優れた構造としつつ上記外壁パネルに加わる風圧力を適切に上記柱に伝達することができるカーテンウォール形式の外壁構造を提供する。【解決手段】外壁パネル１Ｂは、縦フレーム１１ａと横フレーム１１ｂとを備えるフレーム１１と、上記フレーム１１の背面側から突出するフックボルト１６と、を有している。上記係止部材２５は板状部材の両端が折り曲げられたコ字形状をなす部材であり、一方の側の折り曲げ部には上記フックボルト１６の頭部１６ａ下の胴部が係止されるＵ字カット部２５ａが形成されている。上記係止部材２５は、上記Ｕ字カット部２５ａの開口が下に向くように上記柱２の側面に設けられる。上記係止部材２５によって上記外壁パネル１Ｂに加わる風圧力が上記柱２に伝達される。【選択図】図１１
2014125776.tif 000002
【特許請求の範囲】
【請求項１】
柱梁で構成される構造躯体の屋外側に外壁パネルが固定されるカーテンウォール形式の外壁構造であって、
上記外壁パネルは、縦フレームと横フレームとを備えるフレームと、上記フレームの背面側から突出する引っかけボルトとを有しており、
柱の側面に装着される係止部材の一部が、上記引っかけボルトの頭部と上記フレームの背面との間の隙間に差し込まれていることを特徴とする外壁構造。
【請求項２】
請求項１に記載の外壁構造において、上記係止部材は、板状部材の両端を折り曲げたコ字形状をなす部材であり、一方の側の折り曲げ部に上記引っかけボルトの頭部下の胴部が係止されるカット部が形成されており、上記カット部の開口側が下に向くように上記柱の側面に設けられていることを特徴とする外壁構造。
【請求項３】
請求項２に記載の外壁構造において、上記係止部材は、一部を切断し折り曲げてなる曲げ部を有しており、この曲げ部と上記一方の側の折り曲げ部との間に上記頭部が差し込まれ、上記係止部材における他方の側の折り曲げ部と上記曲げ部との間隔が上記柱に嵌まる長さになっていることを特徴とする外壁構造。
【請求項４】
請求項１〜請求項３のいずれか１項に記載の外壁構造において、上記外壁パネルは、開口部を有しており、この開口部を形成する上記縦フレームの部位に上記引っかけボルトが設けられていることを特徴とする外壁構造。
【請求項５】
請求項１〜請求項４のいずれか１項に記載の外壁構造において、出隅部を形成する柱の２面に上記外壁パネルおよび上記係止部材が設けられており、一方の係止部材は、他方の係止部材が位置する上記柱の箇所に嵌まる長さを有することを特徴とする外壁構造。
【発明の詳細な説明】
【技術分野】
【０００１】
この発明は、建物の柱梁からなる構造躯体にカーテンウォール形式で外壁パネルが固定される外壁構造に関する。
【背景技術】
【０００２】
特許文献１には、外壁パネルを柱梁からなる構造躯体の内部に配置し、上記外壁パネルのフレームを柱梁に固定する外壁構造が開示されている。
【先行技術文献】
【特許文献】
【０００３】
【特許文献１】特開平１０−０７２８８６号公報
【発明の概要】
【発明が解決しようとする課題】
【０００４】
しかしながら、上記特許文献１の外壁構造では、躯体が層間変形した際に、外壁パネルに力がかかり、場合によっては外壁パネルが損傷することがある。また、パネル高さが制限されるため、プラン上の制約が多くなる。
【０００５】
この発明は、上記の事情に鑑み、外壁パネルが建物の構造躯体の屋外側に位置するとともに、上記外壁パネルと柱との組付性に優れた構造としつつ上記外壁パネルに加わる風圧力を適切に上記柱に伝達することができるカーテンウォール形式の外壁構造を提供することを課題とする。
【課題を解決するための手段】
【０００６】
この発明の外壁構造は、上記の課題を解決するために、柱梁で構成される構造躯体の屋外側に外壁パネルが固定されるカーテンウォール形式の外壁構造であって、上記外壁パネルは、縦フレームと横フレームとを備えるフレームと、上記フレームの背面側から突出する引っかけボルトとを有しており、柱の側面に装着される係止部材の一部が、上記引っかけボルトの頭部と上記フレームの背面との間の隙間に差し込まれていることを特徴とする。
【０００７】
上記の構成であれば、上記柱の側面に装着された上記係止部材の一部が上記引っかけボルトの頭部と上記フレームの背面との間の隙間に差し込まれる構造であるので、上記外壁パネルと柱との組付性に優れた構造としつつ上記外壁パネルに加わる風圧力を適切に上記柱に伝達することが可能となる。また、外壁パネルの自重が上記引っかけボルトを介して上記柱に加わるのを回避し得る。
【０００８】
上記係止部材は、板状部材の両端を折り曲げたコ字形状をなす部材であり、一方の側の折り曲げ部に上記引っかけボルトの頭部下の胴部が係止されるカット部が形成されており、上記カット部の開口側が下に向くように上記柱の側面に設けられていてもよい。これによれば、上記外壁パネルと柱との組付性が一層優れたものとなる。また、上記係止部材を柱に固定していないと、上記ボルトの頭部下の胴部を中心に上記係止部材が回ろうとする力が発生するが、このような力が発生しても、上記係止部材は上記柱の存在で回ることはない。
【０００９】
上記係止部材は、一部を切断し折り曲げてなる曲げ部を有しており、この曲げ部と上記一方の側の折り曲げ部との間に上記頭部が差し込まれ、上記係止部材における他方の側の折り曲げ部と上記曲げ部との間隔が上記柱に嵌まる長さになっていてもよい。これによれば、上記係止部材を一体物で構成できるとともに、上記外壁パネルに加わる負の風圧力をさらに適切に上記柱に伝達することが可能となる。また、上記曲げ部の存在により、上記頭部が上記柱に直接当たるのを防止できる。
【００１０】
上記外壁パネルは、開口部を有しており、この開口部を形成する上記縦フレームの部位に上記引っかけボルトが設けられていてもよい。これによれば、上記開口部を有することで上記縦フレームの部位の風圧力負担が大きくなるが、上記開口部を形成する上記縦フレームの部位に上記引っかけボルトが設けられているので、上記縦フレームの部位の風圧力負担を小さくすることができる。
【００１１】
出隅部を形成する柱の２面に上記外壁パネルおよび上記係止部材が設けられており、一方の係止部材は、他方の係止部材が位置する上記柱の箇所に嵌まる長さを有していてもよい。これによれば、同じ高さ位置で柱に一方の係止部材と他方の係止部材を装着することができる。
【発明の効果】
【００１２】
本発明の外壁構造であれば、外壁パネルを建物の構造躯体の屋外側に位置させることで上記欠点を解消するとともに、上記外壁パネルと柱との組付性に優れた構造としつつ上記外壁パネルに加わる風圧力を適切に上記柱に伝達することができるという効果を奏する。
【図面の簡単な説明】
【００１３】
【図１】本発明の実施形態の外壁構造の概略構造を示した外壁の横断面図である。
【図２】上記外壁構造にかかる１階部分を示した斜視図である。
【図３】同図（Ａ）は、図２の外壁構造にかかる柱配置の基礎側部分を示した平面視の説明図であり、同図（Ｂ）は同側面視の説明図であり、同図（Ｃ）は同正面視の説明図である。
【図４】同図（Ａ）は、図２の外壁構造にかかる柱が無い箇所の基礎側部分を示した平面視の説明図であり、同図（Ｂ）は同側面視の説明図であり、同図（Ｃ）は同正面視の説明図である。
【図５】同図（Ａ）は、上記外壁構造の外壁パネルで用いられる金具を立体的に示した説明図であり、同図（Ｂ）は上記金具が配置された箇所の内側を立体的に示した説明図であり、同図（Ｃ）は上記金具が配置された箇所の外側を立体的に示した説明図である。
【図６】同図（Ａ）は、図２の外壁構造にかかる柱配置の梁側部分を示した平面視の説明図であり、同図（Ｂ）は同側面視の説明図であり、同図（Ｃ）は同正面視の説明図である。
【図７】同図（Ａ）は、図２の外壁構造にかかる柱が無い箇所の梁側部分を示した平面視の説明図であり、同図（Ｂ）は同側面視の説明図であり、同図（Ｃ）は第２取付部材を立体的に示した説明図である。
【図８】上記外壁構造にかかる２階部分を示した斜視図である。
【図９】同図（Ａ）は、図８の外壁構造にかかる柱配置の下側部分を示した平面視の説明図であり、同図（Ｂ）は同側面視の説明図であり、同図（Ｃ）は同正面視の説明図である。
【図１０】同図（Ａ）は、図８の外壁構造にかかる柱が無い箇所の下側部分を示した平面視の説明図であり、同図（Ｂ）は同側面視の説明図であり、同図（Ｃ）は同正面視の説明図である。
【図１１】上記外壁構造にかかる２階部分の開口部が在る箇所を示した斜視図である。
【図１２】同図（Ａ）は、図１１の外壁構造にかかる開口部分の柱との連結部分を示した平面視の説明図であり、同図（Ｂ）は同側面視の説明図であり、同図（Ｃ）は同正面視の説明図である。
【図１３】同図（Ａ）は、図１１の外壁構造にかかる出隅部分の開口部分の柱との連結部分を示した平面視の説明図であり、同図（Ｂ）は同側面視の説明図であり、同図（Ｃ）は同正面視の説明図である。
【発明を実施するための形態】
【００１４】
以下、この発明の実施の形態を添付図面に基づいて説明する。
図１に示す外壁構造例では、例えば、柱２は２Ｐ（Ｐ＝９１０ｍｍ）間隔で配置されている。外壁パネル１は横幅が２Ｐのものもあればそうでないものもある。また、この外壁構造例では、外壁の出隅部１０１や入隅部１０２も示されている。上記外壁パネル１は、上記柱２および梁３（図２等参照）で構成される構造躯体の屋外側に配置される。
【００１５】
上記外壁パネル１においては、そのフレーム１１内に繊維系断熱材１ａが配置されており、上記フレーム１１の室内側に上記繊維系断熱材１ａを覆うようにシート１ｂが設けられており、上記フレーム１１の屋外側に外張断熱材１ｃが設けられており、上記外張断熱材１ｃと外壁面材１ｄとの間に通気層１ｅを形成するように下地桟１ｆが配置されている。また、上記通気層１ｅに面する上記外張断熱材１ｃの面に透湿防水シートが設けられている。もちろん、上記外壁パネル１は上記のような構造に限られるものではない。
【００１６】
図２に示しているように、上記フレーム１１は、対向する左右の縦フレーム１１ａ・１１ａと上下の横フレーム１１ｂ・１１ｂとを備えた四角枠形状を有する。上記縦フレーム１１ａおよび上記横フレーム１１ｂは、フランジとフランジを繋ぐウェブで構成される溝型鋼から成る。
【００１７】
また、上記外壁パネル１は、その上部において、上記フレーム１１の背面側のフランジから水平方向に突出する両切りのボルト部１２を有しており、その下部において上記フレーム１１のウェブに形成された上下方向に貫通するフレーム挿通孔１３を有している。なお、図２は１階側で上記外壁パネル１の下側が建物基礎４に支持される構造例を示している。
【００１８】
上記建物基礎４上には上記柱２を上記建物基礎４に連結する第１基礎上部材（部材）２１が設けられている。そして、上記第１基礎上部材２１よりも外側の位置にボルト４１がその頭部を下に向けて配置されている。
【００１９】
図３（Ａ），（Ｂ），（Ｃ）にも示しているように、上記建物基礎４上にはアンカーボルト４ａの上端部が突出しており、このアンカーボルト４ａを用いて上記第１基礎上部材２１が上記建物基礎４に固定される。上記第１基礎上部材２１の柱状部分は横断面コ字形状を有している。そして、ボルト受けプレート４２が上記ボルト４１の頭部と上記建物基礎４との間に設けられている。上記ボルト受けプレート４２は断面コ字形状を有しており、下側片部は上記ボルト４１の頭部よりも面積が大になっている。また、上記ボルト受けプレート４２の上側片部に形成された切欠き部に上記ボルト４１の胴部が位置している。
【００２０】
そして、上記建物基礎４上に配置された上記ボルト４１が上記フレーム１１の上記フレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔４４ａが形成されている。また、上記接続プレート４４は、その垂直片部を上に向けた状態で上記第１基礎上部材２１の上記柱状部分に対面させている。上記垂直片部には、上記２個のボルト挿通用の孔４４ａの間（隣り合うボルト４１の間）の中間垂直線上に位置するように、１個の貫通孔４４ｂが形成されており、この貫通孔４４ｂに通されたボルト４５によって上記接続プレート４４が上記第１基礎上部材２１の柱状部分に固定されている。
【００２１】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔４４ａを有した上記接続プレート４４が、建物基礎４上の上記第１基礎上部材２１に水平に設けられた１本のボルト４５を中心に水平軸回りに回動可能に設けられており、上記隣り合うボルト４１には上記接続プレート４４の下側でナット４３が螺合されている。なお、上記外壁パネル１は、その下部において上記建物基礎４に固定されているわけではない。
【００２２】
上記フレーム１１の下側の左右位置には断面Ｌ字形状で縁に補強リブが設けられた補強金物１１ｃが設けられており、この補強金物１１ｃには上記フレーム挿通孔１３が形成される位置に貫通孔が形成されている。また、上記補強金物１１ｃにはナット１５が溶接されており、上記縦フレーム１１ａの外側から上記ナット１５にスペーサボルト１４が螺合されることで上記縦フレーム１１ａに上記補強金物１１ｃが固定されている。また、上記スペーサボルト１４の頭部によって、隣り合う外壁パネル１の間隔が一定に形成される。
【００２３】
図４（Ａ），（Ｂ），（Ｃ）にも示しているように、柱２が無い箇所にも、上記建物基礎４上にアンカーボルト４ａの上端部が突出しており、このアンカーボルト４ａを用いて第２基礎上部材（部材）４７が上記建物基礎４に固定される。そして、上記ボルト受けプレート４２が上記ボルト４１の頭部と上記建物基礎４との間に設けられている。また、上記ボルト受けプレート４２の上側片部に形成された切欠き部に上記ボルト４１の螺子部が位置している。
【００２４】
そして、この図４に示した柱２が無い箇所においても、上記建物基礎４上に配置された上記ボルト４１が上記フレーム１１の上記フレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔４４ａが形成されている。また、上記接続プレート４４は、その垂直片部を下に向けた状態で上記第２基礎上部材４７の垂直部分に対面させている。上記垂直片部には、上記２個のボルト挿通用の孔４４ａの間の中間垂直線上に位置するように、１個の貫通孔４４ｂが形成されており、この貫通孔４４ｂに通されたボルト４５によって上記接続プレート４４が上記第２基礎上部材４７の柱状部分に固定されている。
【００２５】
すなわち、上記のように、隣り合う外壁パネル１の近接する上記フレーム挿通孔１３には、隣り合うように位置する上記ボルト４１が頭部を下にして挿通されており、上記フレーム１１の底部を受け止めるとともに上記隣り合うボルト４１が貫通する孔４４ａを有した上記接続プレート４４が、建物基礎４上の上記第２基礎上部材４７に水平に設けられた１本のボルト４５を中心に水平軸回りに回動可能に設けられており、上記隣り合うボルト４１には上記接続プレート４４の下側でナット４３が螺合されている。
【００２６】
さらに、この図４に示した柱２が無い箇所においても、上記フレーム１１の下側の左右位置には断面Ｌ字形状で縁に補強リブが設けられた補強金物１１ｃが設けられており、この補強金物１１ｃには上記フレーム挿通孔１３が形成される位置に貫通孔が形成されている。また、上記補強金物１１ｃにはナット１５が溶接されており、上記縦フレーム１１ａの外側から上記ナット１５にスペーサボルト１４が螺合されることで上記縦フレーム１１ａに上記補強金物１１ｃが固定される。また、上記スペーサボルト１４の頭部によって、隣り合う外壁パネル１の間隔が一定に形成される。
【００２７】
また、図２に示したように、例えば、上記フレーム１１の上部右角部は上記ボルト部１２を用いて上記構造躯体に固定されている。具体的には、上記柱２と上記梁３とを接合する接合部材２２に設けられた第１取付部材２３には挿通孔２３ａが形成されており、この挿通孔２３ａに通した上記ボルト部１２を用いて上記フレーム１１が上記構造躯体に固定されている。そして、上記フレーム１１の上部左角部は上記ボルト部１２を用いて上記構造躯体に固定されている。具体的には、上記外壁パネル１の上部左角部は、上記柱２が存在しない箇所の上記梁３に設けられた第２取付部材３１には挿通孔３１ａが形成されており、この挿通孔３１ａに通した上記ボルト部１２を用いて上記フレーム１１が上記構造躯体に固定されている。
【００２８】
図５（Ａ），（Ｂ），（Ｃ）に示すように、上記フレーム１１の上部角部には、内挿金物１１ｄが配置されている。上記内挿金物１１ｄは断面Ｌ字形状を有しており、その側縁に補強リブを有する。そして、上記内挿金物１１ｄの各面部には貫通孔が互いに位置をずらして形成されており、上記内挿金物１１ｄの各面部の内側には上記貫通孔に合わせて第１ナット１１ｅと第２ナット１１ｆが溶接されている。上記第１ナット１１ｅは上記フレーム１１のフランジに対面しており、上記ボルト部１２が螺合される。また、上記第２ナット１１ｆは上記フレーム１１のウェブに対面しており、スペーサボルト１４が螺合される。なお、上記フレーム１１の上面箇所には外壁パネル１を吊るときに用いるリングボルトが螺合されるナット１１ｇが溶接されている。
【００２９】
上記内挿金物１１ｄは上記補強リブが無い構成でもよい。また、上記内挿金物１１ｄを省いた構造としてもよい。この場合、例えば、上記ナット１１ｅ、１１ｆを上記フレーム１１のフランジやウェブに溶接等で直接固定することができる。
【００３０】
図６（Ａ），（Ｂ），（Ｃ）にも示しているように、上記柱２が存在する箇所では、上記接合部材２２は上記梁３の下面側にボルト３２とナット３３によって固定されている。上記第１取付部材２３は上記接合部材２２に溶接固定されている。また、上記第１取付部材２３は上記外壁パネル１側に突出する凸面部２３ｂを有しており、この凸面部に上記挿通孔２３ａが形成されている。上記挿通孔２３ａに挿通された上記ボルト部１２にナット２３１を螺合させて締結することで上記外壁パネル１の上部側が上記第１取付部材２３に固定される。
【００３１】
一方、図７（Ａ），（Ｂ），（Ｃ）にも示しているように、上記柱２が存在しない箇所では、上記第２取付部材３１は上記梁３の下面側にボルト３２とナット３３とによって固定されている。上記第２取付部材３１は上記外壁パネル１側に突出する凸面部３１ｂを有しており、この凸面部３１ｂに上記挿通孔３１ａが形成されている。上記挿通孔３１ａに挿通された上記ボルト部１２にナット３４を螺合させて締結することで上記外壁パネル１の上部左側が上記第２取付部材３１に固定される。
【００３２】
上記第２取付部材３１は、例えば、図７（Ｃ）に示すように、断面略Ｌ字状部位とその側縁に形成された略三角形状の補強リブ部とからなる形状を有している。この第２取付部材３１は、プレス加工による金物であるが、上記断面略Ｌ字状部位に上記略三角形状の補強リブ部を溶接した溶接金物としてもよい。
【００３３】
上記挿通孔２３ａと上記挿通孔３１ａの各々の中心位置に上記ボルト部１２が位置するように、上記外壁パネル１の高さ調節を行うと、上記挿通孔２３ａおよび上記挿通孔３１ａの各々と上記ボルト部１２との間に隙間ができ、上記外壁パネル１の自重は上記ボルト４１を介して上記建物基礎４に伝達されることになる。
【００３４】
図８は建物の２階において外壁パネル１Ａが柱２と梁３に支持される構造例を示している。上記外壁パネル１Ａは上記外壁パネル１と同様の構造を有するが、上記フレーム１１の背面側のフランジから水平方向に突出する両切りのボルト部１２を下側の左右位置にも有している。図８に示した２階構造のパネル上部側の接続構造は、図６および図７と同様の構造を有しており、また、上記挿通孔２３ａおよび上記挿通孔３１ａの各々と上記ボルト部１２との間に隙間ができる。
【００３５】
図９（Ａ），（Ｂ），（Ｃ）は、建物の２階側の下部のボルト部１２が用いられる柱箇所を示している。また、上記外壁パネル１Ａにおいては上記内挿金物１１ｄが省かれた構造例が示されている。上記柱２が存在する箇所では、上記接合部材２２は上記梁３の上面側にボルト３２とナット３３によって固定されている。上記第１取付部材２３は上記接合部材２２に溶接固定されている。また、上記第１取付部材２３は上記外壁パネル１側に突出する凸面部２３ｂを有しており、この凸面部に上記挿通孔２３ａが形成されている。上記挿通孔２３ａに挿通された上記ボルト部１２にナット２３１を螺合させて締結することで上記外壁パネル１Ａの下側が上記第１取付部材２３に固定される。
【００３６】
図１０（Ａ），（Ｂ），（Ｃ）は、建物の２階側の下部のボルト部１２が用いられる柱の無い箇所を示している。また、上記外壁パネル１Ａにおいては上記内挿金物１１ｄが省かれた構造例が示されている。上記柱２が存在しない箇所では、上記第２取付部材３１は上記梁３の上面側にボルト３２とナット３３とによって固定されている。上記第２取付部材３１は上記外壁パネル１Ａ側に突出する凸面部３１ｂを有しており、この凸面部３１ｂに上記挿通孔３１ａが形成されている。上記挿通孔３１ａに挿通された上記ボルト部１２にナット３４を螺合させて締結することで上記外壁パネル１Ａの上部左側が上記第２取付部材３１に固定される。
【００３７】
上記建物の２階側の下部においては、上記ボルト部１２の下面は上記挿通孔２３ａおよび上記挿通孔３１ａに当たる一方で、当該建物の２階側の上部側において、上記挿通孔２３ａおよび上記挿通孔３１ａの各々と上記ボルト部１２との間に隙間が形成されると、上記外壁パネル１の自重は下側の上記ボルト部１２を介して上記柱梁に伝達されることになる。
【００３８】
図１１は建物の２階側で開口部１ｈ付きの外壁パネル１Ｂが柱２と梁３に支持される構造例を示している。なお、一部の部材は仮想線で表している。上記外壁パネル１Ｂは上記外壁パネル１Ａと同様の構造を有するが、幅が２Ｐであり、例えば、上側の横フレーム１ｂの中央側、および中段に位置する横フレーム１ｂの中央側においても上記ボルト部１２を用いて構造躯体に固定される。さらに、上記開口部１ｈを形成する左右の縦フレーム１ａにおいて、上下に２カ所ずつ、上記縦フレーム１ａの背面側のフランジから水平方向に突出するフックボルト１６が設けられている。上記フックボルト１６は係止部材２５によって上記柱２に連結される。上記係止部材２５は上記外壁パネル１Ｂに加わる風圧力を上記柱２に伝達する。
【００３９】
図１２（Ａ），（Ｂ），（Ｃ）は、上記外壁パネル１Ｂにおいて、上記フックボルト１６が上記係止部材２５によって上記柱２に連結されている構造部を示している。上記縦フレーム１ａのフランジの内面側にナット１７が溶接により固定されており、このナット１７に上記フックボルト１６が外側から螺合されている。上記フックボルト１６は、その円柱型の大径の頭部１６ａと上記フランジとの間に上記係止部材２５の一部が差し込まれる隙間を形成するように設けられている。また、上記頭部１６ａと上記縦フレーム１ａのフランジの間に座金部材１８が設けられている。
【００４０】
上記係止部材２５は板状部材の両端が折り曲げられたコ字形状をなす部材であり、一方の側の折り曲げ部には上記フックボルト１６の頭部下の胴部が係止されるＵ字カット部２５ａが形成されている。上記係止部材２５は、上記Ｕ字カット部２５ａの開口側が下に向くように上記柱２の側面に設けられる。また、上記係止部材２５には、一部を切断し折り曲げてなる曲げ部２５ｂが形成されており、この曲げ部２５ｂと上記一方の側の折り曲げ部との間に上記頭部１６ａが差し込まれる。また、上記係止部材２５における他方の側の折り曲げ部と上記曲げ部２５ｂとの間隔は上記柱２に嵌まる長さになっている。
【００４１】
図１３（Ａ），（Ｂ），（Ｃ）は、出隅部に配置される上記外壁パネル１Ｂにおいて、上記フックボルト１６が上記係止部材２５および係止部材２５Ａによって上記柱２に連結されている構造部を示している。上記係止部材２５Ａの配置箇所においては、上記縦フレーム１ａに設けられた補強金物１１ｍにナット１７が溶接により固定されており、このナット１７に上記フックボルト１６が外側から螺合されている。上記補強金物１１ｍはスペーサボルト１４によって縦フレーム１１ａに固定されている。上記フックボルト１６は、その頭部１６ａと上記縦フレーム１１ａのフランジとの間に隙間が形成するように設けられている。また、上記頭部１６ａと上記フランジの間に座金部材１８が設けられている。
【００４２】
上記係止部材２５Ａは、上記係止部材２５と同様に、板状部材の両端が折り曲げられたコ字形状をなす部材であり、一方の側の折り曲げ部には上記フックボルト１６の頭部下の胴部が係止されるＵ字カット部２５ａが形成されている。上記係止部材２５は、上記Ｕ字カット部２５ａの開口が下に向くように上記柱２の側面に設けられる。また、上記係止部材２５Ａには、一部を切断し折り曲げてなる曲げ部２５ｂが形成されており、この曲げ部２５ｂと上記一方の側の折り曲げ部との間に上記頭部１６ａが差し込まれる。また、上記係止部材２５Ａにおける他方の側の折り曲げ部と上記曲げ部２５ｂとの間隔は上記係止部材２５が位置する上記柱２の箇所に嵌まる長さになっている。
【００４３】
上記の構成であれば、上記柱２の側面に装着された上記係止部材２５、２５Ａの一部が上記フックボルト１６の頭部１６ａと上記フレーム１１の背面との間の隙間に差し込まれる構造であるので、上記外壁パネル１と柱２との組付性に優れた構造としつつ上記外壁パネル１に加わる風圧力を適切に上記柱２に伝達することが可能となる。また、外壁パネル１の自重が上記フックボルト１６を介して上記柱２に加わらないようにできる。
【００４４】
上記係止部材２５、２５Ａが板状部材の両端を折り曲げたコ字形状をなす部材であり、一方の側の折り曲げ部には上記フックボルト１６の頭部１６ａ下の胴部が係止される上記Ｕ字カット部２５ａが形成されており、上記Ｕ字カット部２５ａの開口側が下に向くように上記柱２の側面に設けられていると、上記外壁パネル１と柱２との組付性が一層優れたものとなる。なお、上記係止部材２５、２５Ａを柱２に固定していないと、上記フックボルト１６の頭部１６ａ下の胴部を中心に上記係止部材２５が回ろうとする力が発生するが、このような力が発生しても、上記Ｕ字カット部２５ａの開口側が下に向いており、上記係止部材２５、２５Ａは他方の側の折り曲げ部が柱２に接するので回ることはない。
【００４５】
上記係止部材２５、２５Ａは、一部を切断し折り曲げてなる曲げ部２５ｂを有しており、この曲げ部２５ｂと上記一方の側の折り曲げ部との間に上記頭部１６ａが差し込まれ、上記係止部材２５、２５Ａにおける他方の側の折り曲げ部と上記曲げ部２５ｂとの間隔が上記柱２の幅の長さになっていると、上記係止部材２５、２５Ａを一体物で構成できるとともに、上記外壁パネル１に加わる負の風圧力をさらに適切に上記柱２に伝達することが可能となる。また、上記曲げ部２５ｂの存在により、上記頭部１６ａが上記柱２に直接当たるのを防止できる。
【００４６】
上記外壁パネル１Ｂの開口部１ｈを形成する上記縦フレーム１１ａの部位に上記フックボルト１６が設けられていると、上記開口部１ｈを有することで上記縦フレーム１１ａの部位の風圧力負担が大きくなるが、上記開口部１ｈを形成する上記縦フレーム１１ａの部位に上記フックボルト１６が設けられているので、上記縦フレーム１１ａの部位の風圧力負担を小さくすることができる。
【００４７】
上記出隅部１０１において、上記係止部材２５Ａが用いられると、同じ高さ位置で柱２に上記係止部材２５、２５Ａを装着することができる。
【００４８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４９】
１、１Ａ、１Ｂ  外壁パネル
１１    フレーム
１１ａ  縦フレーム
１１ｂ  横フレーム
１２    ボルト部
１３    フレーム挿通孔
１４    スペーサボルト
１６    フックボルト（引っかけボルト）
１６ａ  頭部
２      柱
２１    第１基礎上部材（部材）
２２    接合部材
２３    第１取付部材
２３ａ  凸面部
２５、２５Ａ  係止部材
２５ａ  Ｕ字カット部
２５ｂ  曲げ部
３      梁
３１    第２取付部材
３１ａ  挿通孔
３１ｂ  凸面部
４      建物基礎
４１    ボルト
４２    ボルト受けプレート
４３    ナット
４４    接続プレート
４７    第２基礎上部材（部材）
【図１】
2014125776.tif 000003
【図２】
2014125776.tif 000004
【図３】
2014125776.tif 000005
【図４】
2014125776.tif 000006
【図５】
2014125776.tif 000007
【図６】
2014125776.tif 000008
【図７】
2014125776.tif 000009
【図８】
2014125776.tif 000010
【図９】
2014125776.tif 000011
【図１０】
2014125776.tif 000012
【図１１】
2014125776.tif 000013
【図１２】
2014125776.tif 000014
【図１３】
2014125776.tif 000015